(57)【特許請求の範囲】
【請求項１】
送信機であって、
Ｎは、２以上８以下の自然数であり、ｎは、Ｎ以下の自然数であり、
Ｎ個の入力処理部と、
前記Ｎ個の入力処理部の各々から出力されたＴＳパケットを多重してデータフレームを構成し、前記データフレーム単位の同期処理を行うように構成されている同期多重部とを具備しており、
前記Ｎ個の入力処理部の各々は、
ＤＶＢ-ＡＳＩ方式の入力端子を介して入力された前記ＴＳパケットを含むＤＶＢ-ＡＳＩ方式の信号に対する受信処理を行うように構成されているＤＶＢ-ＡＳＩ受信処理部と、
前記ＴＳパケットのレートを変更して出力するように構成されているレート調整部とを具備し、
ＲＡＳＩ-ｎは、前記入力端子に入力された前記信号に含まれる前記ＴＳパケットのレートで、かつ、前記ＴＳパケット長が２０４バイトである場合のレートであり、
ＲＦＰＵは、ＦＰＵ方式のシステムで伝送され得る前記ＴＳパケットのレートで、かつ、前記ＴＳパケット長が２０４バイトである場合のレートであり、
【数Ａ】
0006559044.tif 000007
が成立する場合に、ｎがいずれの値を採る場合であっても、ＲＡＳＩ-ｎ＜ＲＦＰＵ×Ｐｎ/８が成立するように構成されており、
前記Ｎ個の入力処理部のうちのｎ番目の入力処理部における前記レート調整部は、前記ＴＳパケットのレートを「ＲＡＳＩ-ｎ」から「ＲＦＰＵ×Ｐｎ/８」に変更するように構成されていることを特徴とする送信機。
【請求項２】
前記Ｎ個の入力処理部の各々は、前記ＴＳパケットの長さが１８８バイトである場合に、前記ＴＳパケットの長さを１８８バイトから２０４バイトに変更するように構成されているＴＳパケット長変更部を具備することを特徴とする請求項１に記載の送信機。
【請求項３】
請求項１に記載されている送信機によって送信されたＴＳパケットを受信するように構成されている受信機であって、
Ｎは、２以上８以下の自然数であり、ｎは、Ｎ以下の自然数であり、
Ｎ個の出力処理部と、
ＦＰＵ方式のシステムから受信したデータフレームから前記ＴＳパケットを分離して前記Ｎ個の出力処理部の各々に出力するように構成されている分離部とを具備しており、
前記Ｎ個の出力処理部の各々は、
前記分離部から出力された前記ＴＳパケットのレートを変更して出力するように構成されているレート調整部と、
前記ＴＳパケットを含むＤＶＢ-ＡＳＩ方式の信号を生成してＤＶＢ-ＡＳＩ方式の出力端子を介して出力するように構成されているＤＶＢ-ＡＳＩ送信処理部とを具備しており、
ＲＡＳＩ-ｎは、前記出力端子を介して出力する前記信号に含まれる前記ＴＳパケットのレートで、かつ、前記ＴＳパケット長が２０４バイトである場合のレートであり、
ＲＦＰＵは、前記ＦＰＵ方式のシステムから受信した前記ＴＳパケットのレートで、かつ、前記ＴＳパケット長が２０４バイトである場合のレートであり、
【数Ｂ】
0006559044.tif 000008
が成立する場合に、ｎがいずれの値を採る場合であっても、ＲＡＳＩ-ｎ＜ＲＦＰＵ×Ｐｎ/８が成立するように構成されており、
前記Ｎ個の出力処理部のうちのｎ番目の出力処理部における前記レート調整部は、前記ＴＳパケットのレートを「ＲＦＰＵ×Ｐｎ/８」から「ＲＡＳＩ-ｎ」に変更するように構成されていることを特徴とする受信機。
【請求項４】
前記Ｎ個の出力処理部の各々は、前記ＴＳパケットの長さを１８８バイト或いは２０４バイトのいずれかを設定して前記信号に含めるように構成されているＴＳパケット長選択部を具備することを特徴とする請求項３に記載の受信機。
【請求項５】
送信機に搭載されるチップであって、
Ｎは、２以上８以下の自然数であり、ｎは、Ｎ以下の自然数であり、
前記送信機は、
Ｎ個の入力処理部と、
前記Ｎ個の入力処理部の各々から出力されたＴＳパケットを多重してデータフレームを構成し、前記データフレーム単位の同期処理を行うように構成されている同期多重部とを具備しており、
前記Ｎ個の入力処理部の各々は、
ＤＶＢ-ＡＳＩ方式の入力端子を介して入力された前記ＴＳパケットを含むＤＶＢ-ＡＳＩ方式の信号に対する受信処理を行うように構成されているＤＶＢ-ＡＳＩ受信処理部と、
前記ＴＳパケットのレートを変更して出力するように構成されているレート調整部とを具備し、
ＲＡＳＩ-ｎは、前記入力端子に入力された前記信号に含まれる前記ＴＳパケットのレートで、かつ、前記ＴＳパケット長が２０４バイトである場合のレートであり、
ＲＦＰＵは、ＦＰＵ方式のシステムで伝送され得る前記ＴＳパケットのレートで、かつ、前記ＴＳパケット長が２０４バイトである場合のレートであり、
【数Ｃ】
0006559044.tif 000009
が成立する場合に、ｎがいずれの値を採る場合であっても、ＲＡＳＩ-ｎ＜ＲＦＰＵ×Ｐｎ/８が成立するように構成されており、
前記Ｎ個の入力処理部のうちのｎ番目の入力処理部における前記レート調整部は、前記ＴＳパケットのレートを「ＲＡＳＩ-ｎ」から「ＲＦＰＵ×Ｐｎ/８」に変更するように構成されており、
前記チップは、前記Ｎ個のレート調整部及び前記同期多重部を具備するように構成されていることを特徴とするチップ。
【請求項６】
請求項１に記載されている送信機によって送信されたＴＳパケットを受信するように構成されている受信機に搭載されるチップであって、
Ｎは、２以上８以下の自然数であり、ｎは、Ｎ以下の自然数であり、
前記受信機は、
Ｎ個の出力処理部と、
ＦＰＵ方式のシステムから受信したデータフレームから前記ＴＳパケットを分離して前記Ｎ個の出力処理部の各々に出力するように構成されている分離部とを具備しており、
前記Ｎ個の出力処理部の各々は、
前記分離部から出力された前記ＴＳパケットのレートを変更して出力するように構成されているレート調整部と、
前記ＴＳパケットを含むＤＶＢ-ＡＳＩ方式の信号を生成してＤＶＢ-ＡＳＩ方式の出力端子を介して出力するように構成されているＤＶＢ-ＡＳＩ送信処理部とを具備しており、
ＲＡＳＩ-ｎは、前記出力端子を介して出力する前記信号に含まれる前記ＴＳパケットのレートで、かつ、前記ＴＳパケット長が２０４バイトである場合のレートであり、
ＲＦＰＵは、前記ＦＰＵ方式のシステムから受信した前記ＴＳパケットのレートで、かつ、前記ＴＳパケット長が２０４バイトである場合のレートであり、
【数Ｄ】
0006559044.tif 000010
が成立する場合に、ｎがいずれの値を採る場合であっても、ＲＡＳＩ-ｎ＜ＲＦＰＵ×Ｐｎ/８が成立するように構成されており、
前記Ｎ個の出力処理部のうちのｎ番目の出力処理部における前記レート調整部は、前記ＴＳパケットのレートを「ＲＦＰＵ×Ｐｎ/８」から「ＲＡＳＩ-ｎ」に変更するように構成されており、
前記チップは、前記分離部及び前記Ｎ個のレート調整部を具備するように構成されていることを特徴とするチップ。
【発明の詳細な説明】
【技術分野】
【０００１】
本発明は、送信機、受信機及びチップに関する。
【背景技術】
【０００２】
従来から、番組素材の伝送には、ＦＰＵ（Ｆｉｅｌｄ  Ｐｉｃｋｕｐ  Ｕｎｉｔ）方式のシステムが用いられている。ＦＰＵ方式のシステムは、番組の中継や取材した映像を放送局へ送るツールとして欠かせないものになっている。
【０００３】
近年、特に、周波数選択性フェージングに耐性のあるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いたデジタルＦＰＵ方式のシステムが注目されており、かかるデジタルＦＰＵ方式のシステムに関して、既に様々な周波数帯で実用的な標準規格が提案されている（非特許文献１〜４参照）。
【０００４】
図５及び図６に、ＦＰＵ方式のシステムにおける送信機１０及び受信機３０の概要について示す。
【０００５】
図５に示す送信機１０におけるＦＰＵ方式の変調部への入力インターフェイス及び図６に示す送信機３０におけるＦＰＵ方式の復調部からの出力インターフェイスとして、同軸ケーブルによるＤＶＢ-ＡＳＩ（Ｄｉｇｉｔａｌ  Ｖｉｄｅｏ  Ｂｒｏａｄｃａｓｔｉｎｇ-Ａｓｙｎｃｈｒｏｎｏｕｓ  Ｓｅｒｉａｌ  Ｉｎｔｅｒｆａｃｅ）方式が広く用いられている（非特許文献５参照）。
【０００６】
ＤＶＢ-ＡＳＩ方式の伝送レートは、最大で２１６Ｍｂｐｓである。実際には、ＤＶＢ-ＡＳＩ方式の伝送レートの上限は、同期ワード等を除去して２１３Ｍｂｐｓ程度となるが、従来のデジタルＦＰＵ方式の伝送レートは、最大で７０Ｍｂｐｓ程度であったため（非特許文献２参照）、ＤＶＢ-ＡＳＩ方式は、ＦＰＵ方式の変調部及び復調部についての入出力インターフェイスとして問題は無かった。
【先行技術文献】
【非特許文献】
【０００７】
【非特許文献１】テレビジョン放送番組素材伝送用可搬形マイクロ波帯デジタル無線伝送システム、標準規格（ＡＲＩＢ ＳＴＤ-Ｂ１１ ２.２版）、一般社団法人 電波産業会
【非特許文献２】テレビジョン放送番組素材伝送用可搬形ＯＤＦＤＭ方式デジタル無線伝送システム、標準規格（ＡＲＩＢ ＳＴＤ-Ｂ３３ １.２版）、一般社団法人 電波産業会
【非特許文献３】テレビジョン放送番組素材伝送用可搬形ミリ波帯デジタル無線伝送システム、標準規格（ＡＲＩＢ ＳＴＤ-Ｂ４３１.０版）、一般社団法人 電波産業会
【非特許文献４】１.２ＧＨｚ/２.３ＧＨｚ帯テレビジョン放送番組素材伝送用可搬形ＯＦＤＭ方式デジタル無線伝送システム、標準規格（ＡＲＩＢ ＳＴＤ-Ｂ５７ ２.０版）、一般社団法人 電波産業会
【非特許文献５】「Ｃａｂｌｅｄ  ｄｉｓｔｒｉｂｕｔｉｏｎ  ｓｙｓｔｅｍｓ  ｆｏｒ  ｔｅｌｅｖｉｓｉｏｎ，ｓｏｕｎｄ  ａｎｄ  ｉｎｔｅｒａｃｔｉｖｅ  ｍｕｌｔｉｍｅｄｉａ  ｓｉｇｎａｌｓ  Ｐａｒｔ  ９：Ｉｎｔｅｒａｃｔｉｖｅ  ｆｏｒ  ＣＡＴＶ/ＳＭＡＴＶ  ｈｅａｄｅｎｄｓ  ａｎｄ  ｓｉｍｉｌａｒ  ｐｒｏｆｅｓｓｉｏｎａｌ  ｅｑｕｉｐｍｅｎｔ  ｆｏｒ  ＤＶＢ/ＭＰＥＧ-２  ｔｒａｎｓｐｏｒｔ  ｓｔｒｅａｍｓ」、標準規格（ＥＴＳＩ  ＥＮ  ５００８３-９）、Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ
【発明の概要】
【発明が解決しようとする課題】
【０００８】
しかしながら、非特許文献２の標準規格では、最大で約４００Ｍｂｐｓの伝送が可能であり、他の標準規格でも、ＭＩＭＯ（Ｍｕｌｔｉｐｌｅ  Ｉｎｐｕｔ  Ｍｕｌｔｉｐｌｅ  Ｏｕｔｐｕｔ）方式の適用等によって、伝送レートの拡大が可能となりつつある。このように、ＦＰＵ方式の伝送レートの拡大に伴って、ＤＶＢ-ＡＳＩ方式のインターフェイスがボトルネックとなりつつある。
【０００９】
なお、かかるボトルネックを解消するために、イーサネット（登録商標）や光ファイバー等、より高速な入出力が可能な他のケーブルを用いたインターフェイスが検討されているが、同軸ケーブルの扱いやすさや既存の設備の流用を考慮すると、ＤＶＢ-ＡＳＩ方式は、依然として有力なインターフェイスである。
【００１０】
そこで、本発明は、上述した課題を解決するためになされたものであり、ＦＰＵ方式のシステムにおいてＤＶＢ-ＡＳＩ方式のインターフェイスのボトルネックを解消することができる送信機、受信機及びチップを提供することを目的とする。
【課題を解決するための手段】
【００１１】
本発明の第１の特徴は、送信機であって、Ｎは、２以上８以下の自然数であり、ｎは、Ｎ以下の自然数であり、Ｎ個の入力処理部と、前記Ｎ個の入力処理部の各々から出力されたＴＳパケットを多重してデータフレームを構成し、前記データフレーム単位の同期処理を行うように構成されている同期多重部とを具備しており、前記Ｎ個の入力処理部の各々は、ＤＶＢ-ＡＳＩ方式の入力端子を介して入力された前記ＴＳパケットを含むＤＶＢ-ＡＳＩ方式の信号に対する受信処理を行うように構成されているＤＶＢ-ＡＳＩ受信処理部と、前記ＴＳパケットのレートを変更して出力するように構成されているレート調整部とを具備し、ＲＡＳＩ-ｎは、前記入力端子に入力された前記信号に含まれる前記ＴＳパケットのレートで、かつ、前記ＴＳパケット長が２０４バイトである場合のレートであり、ＲＦＰＵは、ＦＰＵ方式のシステムで伝送され得る前記ＴＳパケットのレートで、かつ、前記ＴＳパケット長が２０４バイトである場合のレートであり、
【数Ａ】
0006559044.tif 000002
が成立する場合に、ｎがいずれの値を採る場合であっても、ＲＡＳＩ-ｎ＜ＲＦＰＵ×Ｐｎ/８が成立するように構成されており、前記Ｎ個の入力処理部のうちのｎ番目の入力処理部における前記レート調整部は、前記ＴＳパケットのレートを「ＲＡＳＩ-ｎ」から「ＲＦＰＵ×Ｐｎ/８」に変更するように構成されていることを要旨とする。
【００１２】
本発明の第２の特徴は、上述の第１の特徴に係る送信機によって送信されたＴＳパケットを受信するように構成されている受信機であって、Ｎは、２以上８以下の自然数であり、ｎは、Ｎ以下の自然数であり、Ｎ個の出力処理部と、ＦＰＵ方式のシステムから受信したデータフレームから前記ＴＳパケットを分離して前記Ｎ個の出力処理部の各々に出力するように構成されている分離部とを具備しており、前記Ｎ個の出力処理部の各々は、前記分離部から出力された前記ＴＳパケットのレートを変更して出力するように構成されているレート調整部と、前記ＴＳパケットを含むＤＶＢ-ＡＳＩ方式の信号を生成してＤＶＢ-ＡＳＩ方式の出力端子を介して出力するように構成されているＤＶＢ-ＡＳＩ送信処理部とを具備しており、ＲＡＳＩ-ｎは、前記出力端子を介して出力する前記信号に含まれる前記ＴＳパケットのレートで、かつ、前記ＴＳパケット長が２０４バイトである場合のレートであり、ＲＦＰＵは、前記ＦＰＵ方式のシステムから受信した前記ＴＳパケットのレートで、かつ、前記ＴＳパケット長が２０４バイトである場合のレートであり、
【数Ｂ】
0006559044.tif 000003
が成立する場合に、ｎがいずれの値を採る場合であっても、ＲＡＳＩ-ｎ＜ＲＦＰＵ×Ｐｎ/８が成立するように構成されており、前記Ｎ個の出力処理部のうちのｎ番目の出力処理部における前記レート調整部は、前記ＴＳパケットのレートを「ＲＦＰＵ×Ｐｎ/８」から「ＲＡＳＩ-ｎ」に変更するように構成されていることを要旨とする。
【００１３】
本発明の第３の特徴は、送信機に搭載されるチップであって、Ｎは、２以上８以下の自然数であり、ｎは、Ｎ以下の自然数であり、前記送信機は、Ｎ個の入力処理部と、前記Ｎ個の入力処理部の各々から出力されたＴＳパケットを多重してデータフレームを構成し、前記データフレーム単位の同期処理を行うように構成されている同期多重部とを具備しており、前記Ｎ個の入力処理部の各々は、ＤＶＢ-ＡＳＩ方式の入力端子を介して入力された前記ＴＳパケットを含むＤＶＢ-ＡＳＩ方式の信号に対する受信処理を行うように構成されているＤＶＢ-ＡＳＩ受信処理部と、前記ＴＳパケットのレートを変更して出力するように構成されているレート調整部とを具備し、ＲＡＳＩ-ｎは、前記入力端子に入力された前記信号に含まれる前記ＴＳパケットのレートで、かつ、前記ＴＳパケット長が２０４バイトである場合のレートであり、ＲＦＰＵは、ＦＰＵ方式のシステムで伝送され得る前記ＴＳパケットのレートで、かつ、前記ＴＳパケット長が２０４バイトである場合のレートであり、
【数Ｃ】
0006559044.tif 000004
が成立する場合に、ｎがいずれの値を採る場合であっても、ＲＡＳＩ-ｎ＜ＲＦＰＵ×Ｐｎ/８が成立するように構成されており、前記Ｎ個の入力処理部のうちのｎ番目の入力処理部における前記レート調整部は、前記ＴＳパケットのレートを「ＲＡＳＩ-ｎ」から「ＲＦＰＵ×Ｐｎ/８」に変更するように構成されており、前記チップは、前記Ｎ個のレート調整部及び前記同期多重部を具備するように構成されていることを要旨とする。
【００１４】
本発明の第４の特徴は、上述の第１の特徴に係る送信機によって送信されたＴＳパケットを受信するように構成されている受信機に搭載されるチップであって、Ｎは、２以上８以下の自然数であり、ｎは、Ｎ以下の自然数であり、前記受信機は、Ｎ個の出力処理部と、ＦＰＵ方式のシステムから受信したデータフレームから前記ＴＳパケットを分離して前記Ｎ個の出力処理部の各々に出力するように構成されている分離部とを具備しており、前記Ｎ個の出力処理部の各々は、前記分離部から出力された前記ＴＳパケットのレートを変更して出力するように構成されているレート調整部と、前記ＴＳパケットを含むＤＶＢ-ＡＳＩ方式の信号を生成してＤＶＢ-ＡＳＩ方式の出力端子を介して出力するように構成されているＤＶＢ-ＡＳＩ送信処理部とを具備しており、ＲＡＳＩ-ｎは、前記出力端子を介して出力する前記信号に含まれる前記ＴＳパケットのレートで、かつ、前記ＴＳパケット長が２０４バイトである場合のレートであり、ＲＦＰＵは、前記ＦＰＵ方式のシステムから受信した前記ＴＳパケットのレートで、かつ、前記ＴＳパケット長が２０４バイトである場合のレートであり、
【数Ｄ】
0006559044.tif 000005
が成立する場合に、ｎがいずれの値を採る場合であっても、ＲＡＳＩ-ｎ＜ＲＦＰＵ×Ｐｎ/８が成立するように構成されており、前記Ｎ個の出力処理部のうちのｎ番目の出力処理部における前記レート調整部は、前記ＴＳパケットのレートを「ＲＦＰＵ×Ｐｎ/８」から「ＲＡＳＩ-ｎ」に変更するように構成されており、前記チップは、前記分離部及び前記Ｎ個のレート調整部を具備するように構成されていることを要旨とする。
【発明の効果】
【００１５】
本発明によれば、ＦＰＵ方式のシステムにおいてＤＶＢ-ＡＳＩ方式のインターフェイスのボトルネックを解消することができる送信機、受信機及びチップを提供することができる。
【図面の簡単な説明】
【００１６】
【図１】図１は、第１の実施形態に係る送信機１０の機能ブロック図である。
【図２】図２は、第１の実施形態に係る送信機１０のデータフレーム同期・多重部１０Ｅ及び第１の実施形態に係る受信機３０のＴＳパケット再構成部３０Ｂの機能を説明するための図である。
【図３】図３は、データフレーム内の８個のＴＳパケットのうち第１の実施形態に係る送信機１０の各入力処理部（受信機３０の各出力処理部）に割り当てられるＴＳパケットの数Ｐｎの組み合わせを示す図である。
【図４】図４は、第１の実施形態に係る受信機３０の機能ブロック図である。
【図５】図５は、従来の送信機１０の機能ブロック図である。
【図６】図６は、従来の送信機１０の機能ブロック図である。
【発明を実施するための形態】
【００１７】
（第１の実施形態）
以下、図１〜図４を参照して、本発明の第１の実施形態に係る送信機１０及び受信機３０について説明する。ここで、本発明の第１の実施形態に係る送信機１０及び受信機３０は、デジタルＦＰＵ方式のシステムで用いられるものである。なお、本実施形態において、Ｎは、２以上８以下の自然数であり、ｎは、Ｎ以下の自然数であるものとする。
【００１８】
本発明の第１の実施形態に係る送信機１０及び受信機３０を含むデジタルＦＰＵ方式のシステムは、例えば、放送番組制作業務における素材伝送技術として有用である。
【００１９】
図１に示すように、本実施形態に係る送信機１０は、Ｎ個の入力処理部２０１〜２０Ｎと、データフレーム同期・多重部１０Ｅと、変調部１０Ｆとを具備している。
【００２０】
Ｎ個の入力処理部２０１〜２０Ｎの各々は、ＤＶＢ-ＡＳＩ受信処理部２１１〜２１Ｎと、ＴＳパケット長変更部１０Ｃ１〜１０ＣＮと、レート調整スタッフィング部１０Ｄ１〜１０ＤＮとを具備している。
【００２１】
Ｎ個のＤＶＢ-ＡＳＩ受信処理部２１１〜２１Ｎの各々は、ＤＶＢ-ＡＳＩ方式の入力端子１〜Ｎの各々を介して入力されたＴＳパケットを含むＤＶＢ-ＡＳＩ方式の信号ＡＳＩ-１〜Ｎに対する受信処理を行うように構成されている。
【００２２】
具体的には、Ｎ個のＤＶＢ-ＡＳＩ受信処理部２１１〜２１Ｎの各々は、ＤＶＢ-ＡＳＩ同期ワード・スタッフィング除去部１０Ａ１〜１０ＡＮと、１０Ｂ/８Ｂデコード部１０Ｂ１〜１０ＢＮとを具備している。
【００２３】
ＤＶＢ-ＡＳＩ同期ワード・スタッフィング除去部１０Ａ１〜１０ＡＮの各々は、入力されたＤＶＢ-ＡＳＩ方式の信号に対して、同期ワード及びスタッフィングを除去する処理を施すように構成されている。ＤＶＢ-ＡＳＩ同期ワード・スタッフィング除去部１０Ａ１〜１０ＡＮによって施される処理については、上述の非特許文献５に記載されている。
【００２４】
１０Ｂ/８Ｂデコード部１０Ｂ１〜１０ＢＮの各々は、ＤＶＢ-ＡＳＩ同期ワード・スタッフィング除去部１０Ａ１〜１０ＡＮの各々から入力された信号に対して、１０Ｂ/８Ｂデコード処理を施すように構成されている。かかる１０Ｂ/８Ｂデコード処理については、上述の非特許文献５に記載されている。
【００２５】
ＴＳパケット長変更部１０Ｃ１〜１０ＣＮの各々は、１０Ｂ/８Ｂデコード部１０Ｂ１〜１０ＢＮの各々から入力された信号に含まれているＴＳパケットの長さが１８８バイトである場合に、かかるＴＳパケットの長さを１８８バイトから２０４バイトに変更するように構成されている。
【００２６】
一般的に、ＤＶＢ-ＡＳＩ方式の信号ＡＳＩ-１〜Ｎは、１８８バイト長のＴＳパケット及び２０４バイト長のＴＳパケットのいずれかを含むことができる。ここで、デジタルＦＰＵ方式では、２０４バイト長のデータとして変調部（本実施形態に係る送信機１０における変調部１０Ｆ）に入力する必要がある。したがって、通常は、ＤＶＢ-ＡＳＩ方式の入力端子１〜Ｎを介して２０４バイト長のＴＳパケットが入力されるように設定されるが、本実施形態に係る送信機１０では、ＴＳパケット長変更部１０Ｃ１〜１０ＣＮの各々によってＤＶＢ-ＡＳＩ方式の入力端子１〜Ｎを介して１８８バイト長のＴＳパケットが入力された場合であっても２０４バイト長のＴＳパケットに変換することができる。
【００２７】
ここで、ｎ番目の入力処理部２０ｎ内のＴＳパケット長変更部１０Ｃｎから出力された２０４バイト長のＴＳパケットのレートを「ＲＡＳＩ-ｎ」とする。なお、「ＲＡＳＩ-ｎ」は、ＤＶＢ-ＡＳＩ方式の入力端子ｎに入力されたＤＶＢ-ＡＳＩ方式の信号に含まれるＴＳパケットのレートでもある。
【００２８】
レート調整スタッフィング部１０Ｄ１〜１０ＤＮの各々は、ＴＳパケット長変更部１０Ｃ１〜１０ＣＮの各々から入力されたＴＳパケットのレートを変更して出力するように構成されている。
【００２９】
具体的には、レート調整スタッフィング部１０Ｄ１〜１０ＤＮの各々は、ＴＳパケット長変更部１０Ｃ１〜１０ＣＮの各々から入力されたＴＳパケットに対してヌルパケットを挿入することによって、かかるＴＳパケットのレートを変更して出力するように構成されている。
【００３０】
ここで、ｎ番目の入力処理部２０ｎ内のレート調整スタッフィング部１０Ｄｎから出力されたＴＳパケットのレートを「ＲＦＰＵ×Ｐｎ/８」とする。  なお、「ＲＦＰＵ」は、ＴＳパケット長が２０４バイトである場合のレートであり、かつ、ＦＰＵ方式のシステムで伝送され得るＴＳパケットのレートである。
【００３１】
すなわち、本実施形態に係る送信機１０（及び、受信機３０）では、ｎ番目のＤＶＢ-ＡＳＩ方式の系統（例えば、入力処理部２０ｎ）には、１つのデータフレーム内の８個のＴＳパケットのうちＰｎ個のＴＳパケットが割り当てられている。
【００３２】
ここで、図２（ａ）に示すように、ｎ番目のＤＶＢ-ＡＳＩ方式の系統（例えば、入力処理部２０ｎ）におけるレート調整スタッフィング部１０Ｄｎは、ＴＳパケットのレートを「ＲＡＳＩ-ｎ」から「ＲＦＰＵ×Ｐｎ/８」に変更するように構成されている。
【００３３】
なお、本実施形態に係る送信機１０（及び、受信機３０）では、
【数Ａ】
0006559044.tif 000006
が成立する。かかる場合、ｎがいずれの値を採る場合であっても、ＲＡＳＩ-ｎ＜ＲＦＰＵ×Ｐｎ/８が成立するように構成されている。ここで、Ｎは、本実施形態に係る送信機１０において多重するＤＶＢ-ＡＳＩ方式の信号の本数であり、Ｎの最大値は「８」である。図３に、上述のＰｎが取り得る値の組み合わせを示す。なお、かかる組み合わせについては、送信機１０と受信機３０との間で共有されているものとする。
【００３４】
図３に示すように、例えば、多重されるＤＶＢ-ＡＳＩ方式の信号の本数が「２」である場合、ＤＶＢ-ＡＳＩ方式の信号ＡＳＩ-１に割り当てられるＴＳパケット数Ｐ１とＤＶＢ-ＡＳＩ方式の信号ＡＳＩ-２に割り当てられるＴＳパケット数Ｐ２との組み合わせは、（７，１）（６，２）（５，３）（４，４）のいずれかとなる。
【００３５】
例えば、Ｐ１とＰ２との組み合わせが（４，４）である場合、送信機１０において、ＦＰＵ方式のシステムで伝送され得るＴＳパケットのレートを２等分して２本のＤＶＢ-ＡＳＩ方式の信号に分離するケースに相当する。
【００３６】
かかる場合、ＤＶＢ-ＡＳＩ方式の信号ＡＳＩ-１及びＤＶＢ-ＡＳＩ方式の信号ＡＳＩ-２に割り当てられるＦＰＵ方式のシステムで伝送され得るＴＳパケットのレートは、それぞれ「ＲＦＰＵ×Ｐ１/８」及び「ＲＦＰＵ×Ｐ２/８」となり、「ＲＡＳＩ-１＜ＲＦＰＵ×Ｐ１/８」及び「ＲＡＳＩ-２＜ＲＦＰＵ×Ｐ２/８」が成立するようにＦＰＵ方式のシステムの伝送パラメータを設定するものとする。
【００３７】
すなわち、ＤＶＢ-ＡＳＩ方式の信号ＡＳＩ-ｎに割り当てられるＴＳパケットのレート（ＦＰＵ方式の伝送レート）は、それぞれＰｎ/８となるため、全てのｎ（＝１，２，…Ｎ）において、ＲＡＳＩ-ｎ＜ＲＦＰＵ×Ｐｎ/８が成立するように、ＦＰＵ方式のシステムの伝送パラメータ（例えば、変調多値数や誤り訂正符号化率等のパラメータ）を設定する。
【００３８】
かかる構成によれば、１つのデータフレーム内の８個のＴＳパケットの各ＤＶＢ-ＡＳＩ方式の系統への割り当てを変えることができるため、２本以上８本以下のＤＶＢ-ＡＳＩ方式の信号ＡＳＩ-ｎを多重することができる。
【００３９】
データフレーム同期・多重部１０Ｅは、Ｎ個の入力処理部２０１〜２０Ｎの各々から出力されたＴＳパケットを多重してデータフレームを構成し、データフレーム単位の同期処理を行うように構成されている。
【００４０】
図２（ａ）及び図２（ｂ）に示すように、１個のデータフレームは、８個のＴＳパケットによって構成されている。ここで、データフレーム同期・多重部１０Ｅは、各データフレームの先頭のＴＳパケットのデータフレーム同期バイトの値を通常の「４７ｈ」から反転して「Ｂ８ｈ」とすることによって、データフレーム単位の同期処理を行うように構成されている。
【００４１】
また、データフレーム同期・多重部１０Ｅは、１個のデータフレーム内に、ｎ番目の入力処理部２０ｎから出力されたＴＳパケットをＰｎ個多重するように構成されている。
【００４２】
なお、各データフレーム内におけるＴＳパケットの並べる順番は任意である。ただし、かかる順番については、送信機１０と受信機３０との間で共有されているものとする。この結果、受信機３０において、データフレーム同期バイトに基づいて、元通りにＴＳパケットを再構築することができる。
【００４３】
変調部１０Ｆは、ＦＰＵ方式の変調部であって、データフレーム同期・多重部１０Ｅから入力されたデータフレームに対して変調処理を施すように構成されている。
【００４４】
図４に示すように、本実施形態に係る受信機３０は、復調部３０Ａと、ＴＳパケット再構成・分離部３０Ｂと、Ｎ個の出力処理部４０１〜４０Ｎとを具備している。
【００４５】
復調部３０Ａは、ＦＰＵ方式の復調部であって、上述の送信機１０によって送信された信号に対して復調処理を施すように構成されている。
【００４６】
ＴＳパケット再構成・分離部３０Ｂは、復調部３０Ａ（ＦＰＵ方式のシステム）から受信したデータフレームからＴＳパケットを分離してＮ個の出力処理部４０１〜４０Ｎの各々に出力するように構成されている。
【００４７】
具体的には、ＴＳパケット再構成・分離部３０Ｂは、データフレーム同期・多重部１０Ｅと逆の処理、すなわち、各データフレーム内のＴＳパケットを分離して各ＴＳパケットが対応する出力処理部４０１〜４０Ｎの各々に出力するように構成されている。
【００４８】
なお、ＴＳパケット再構成・分離部３０Ｂは、各データフレームの先頭のＴＳパケットのデータフレーム同期バイトを「Ｂ８ｈ」から「４７ｈ」に戻すように構成されている。
【００４９】
Ｎ個の出力処理部４０１〜４０Ｎの各々は、ヌルパケット除去部３０Ｃ１〜３０ＣＮと、ＴＳパケット長選択部３０Ｄ１〜３０ＤＮと、ＤＶＢ-ＡＳＩ送信処理部４１１〜４１Ｎとを具備している。
【００５０】
ヌルパケット除去部３０Ｃ１〜３０ＣＮは、ＴＳパケット再構成・分離部３０Ｂから入力されたＴＳパケットからヌルパケットを除去することによって、ＴＳパケット再構成・分離部３０Ｂから入力されたＴＳパケットのレートを変更して出力するように構成されている。
【００５１】
ＴＳパケット再構成・分離部３０Ｂからｎ番目のヌルパケットパケット除去部３０Ｃｎに入力されるＴＳパケットのレートは、「ＲＦＰＵ×Ｐｎ/８」である。ここで、「ＲＦＰＵ」は、復調部３０Ａ（ＦＰＵ方式のシステム）からＴＳパケット再構成・分離部３０Ｂに入力されたＴＳパケットのレート（ＴＳパケット長が２０４バイトである場合）である。
【００５２】
一方、ｎ番目のヌルパケットパケット除去部３０Ｃｎからｎ番目のＴＳパケット長選択部３０Ｄｎに入力されるＴＳパケットのレートは、「ＲＡＳＩ-ｎ」である。ここで、「ＲＡＳＩ-ｎ」は、図１に示す「ＲＡＳＩ-ｎ」と同じである。なお、「ＲＡＳＩ-ｎ」は、ＤＶＢ-ＡＳＩ方式の出力端子１〜Ｎを介して出力するＤＶＢ-ＡＳＩ方式の信号に含まれるＴＳパケットのレート（ＴＳパケット長が２０４バイトである場合）でもある。
【００５３】
すなわち、ｎ番目のヌルパケットパケット除去部３０Ｃｎは、Ｎ個の出力処理部４０１〜４０Ｎのうちのｎ番目の出力処理部４０ｎにおけるヌルパケット除去部３０Ｃｎは、ＴＳパケットのレートを「ＲＦＰＵ×Ｐｎ/８」から「ＲＡＳＩ-ｎ」に変更するように構成されている。
【００５４】
ＴＳパケット長選択部３０Ｄ１〜３０ＤＮは、ＴＳパケットの長さを１８８バイト或いは２０４バイトのいずれかを設定してＤＶＢ-ＡＳＩ方式の信号に含めるように構成されている。
【００５５】
ＤＶＢ-ＡＳＩ方式の出力端子１〜Ｎを介して出力するＤＶＢ-ＡＳＩ方式の信号に含まれるＴＳパケットの長さは、通常は、２０４バイトであるが、本実施形態に係る受信機３０によれば、ＴＳパケット長選択部３０Ｄ１〜３０ＤＮによって、かかるＴＳパケットの長さを１８８バイトに変換することができる。
【００５６】
ＤＶＢ-ＡＳＩ送信処理部４１１〜４１Ｎの各々は、ＴＳパケット長選択部３０Ｄ１〜３０ＤＮから入力されたＴＳパケットを含むＤＶＢ-ＡＳＩ方式の信号を生成してＤＶＢ-ＡＳＩ方式の出力端子１〜Ｎを介して出力するように構成されている。
【００５７】
図４に示すように、ＤＶＢ-ＡＳＩ送信処理部４１１〜４１Ｎの各々は、８Ｂ/１０Ｂエンコード部３０Ｅ１〜３０ＥＮと、ＤＶＢ-ＡＳＩ同期ワード・スタッフィング挿入部３０Ｆ１〜３０ＦＮとを具備している。
【００５８】
８Ｂ/１０Ｂエンコード部３０Ｅ１〜３０ＥＮの各々は、ＴＳパケット長選択部３０Ｄ１〜３０ＤＮから入力されたＴＳパケットに対して、８Ｂ/１０Ｂエンコード処理を施すように構成されている。かかる８Ｂ/１０Ｂエンコード処理については、上述の非特許文献５に記載されている。
【００５９】
ＤＶＢ-ＡＳＩ同期ワード・スタッフィング挿入部３０Ｆ１〜３０ＦＮは、８Ｂ/１０Ｂエンコード部３０Ｅ１〜３０ＥＮの各々から入力されたＴＳパケットに対して、同期ワード及びスタッフィングを挿入する処理を施すように構成されている。ＤＶＢ-ＡＳＩ同期ワード・スタッフィング挿入部３０Ｆ１〜３０ＦＮによって施される処理については、上述の非特許文献５に記載されている。
【００６０】
本実施形態に係る送信機１０及び受信機３０によれば、最大伝送レート以上のＤＶＢ-ＡＳＩ方式の信号を、複数のＤＶＢ-ＡＳＩ方式の信号に分割して送ることができる。また、本実施形態に係る送信機１０及び受信機３０によれば、複数の異なるＤＶＢ-ＡＳＩ方式の信号を１つのＦＰＵ装置によって送信することができる。
【００６１】
また、本実施形態に係る送信機１０及び受信機３０によれば、既存のＦＰＵ方式で用いられているデータフレーム同期処理を活用して、新たなフレーム構造を採用することなく、最大８本までのＤＶＢ-ＡＳＩ方式の信号の多重及び分離を実現することができる。
【００６２】
さらに、本実施形態に係る送信機１０及び受信機３０によれば、多重するＤＶＢ-ＡＳＩ方式の信号に対するＴＳパケットの割当数を柔軟に変更することができるため、伝送効率を上げることができる。
【００６３】
（その他の実施形態）
上述のように、本発明について、上述した実施形態によって説明したが、かかる実施形態における開示の一部をなす論述及び図面は、本発明を限定するものであると理解すべきではない。かかる開示から当業者には様々な代替実施形態、実施例及び運用技術が明らかとなろう。
【００６４】
また、上述の実施形態では特に触れていないが、上述の送信機１０及び受信機３０によって行われる各処理をコンピュータに実行させるプログラムが提供されてもよい。また、かかるプログラムは、コンピュータ読取り可能媒体に記録されていてもよい。コンピュータ読取り可能媒体を用いれば、かかるプログラムをコンピュータにインストールすることが可能である。ここで、かかるプログラムが記録されたコンピュータ読取り可能媒体は、非一過性の記録媒体であってもよい。非一過性の記録媒体は、特に限定されるものではないが、例えば、ＣＤ-ＲＯＭやＤＶＤ-ＲＯＭ等の記録媒体であってもよい。
【００６５】
或いは、上述の送信機１０及び受信機３０内の少なくとも一部の機能を実現するためのプログラムを記憶するメモリ及びメモリに記憶されたプログラムを実行するプロセッサによって構成されるチップが提供されてもよい。
【符号の説明】
【００６６】
１０…送信機
２０１〜２０Ｎ…入力処理部
２１１〜２１Ｎ…ＤＶＢ-ＡＳＩ受信処理部
１０Ａ１〜１０ＡＮ…ＤＶＢ-ＡＳＩ同期ワード・スタッフィング除去部
１０Ｂ１〜１０ＢＮ…１０Ｂ/８Ｂデコード部
１０Ｃ１〜１０ＣＮ…ＴＳパケット長変更部
１０Ｄ１〜１０ＤＮ…レート調整スタッフィング部
１０Ｅ…データフレーム同期・多重部
１０Ｆ…変調部
３０…受信機
４０１〜４０Ｎ…出力処理部
４１１〜４１Ｎ…ＤＶＢ-ＡＳＩ送信処理部
３０Ａ…復調部
３０Ｂ…ＴＳパケット再構成・分離部
３０Ｃ１〜３０ＣＮ…ヌルパケット除去部
３０Ｄ１〜３０ＤＮ…ＴＳパケット長選択部
３０Ｅ１〜３０ＥＮ…８Ｂ/１０Ｂエンコード部
３０Ｆ１〜３０ＦＮ…ＤＶＢ-ＡＳＩ同期ワード・スタッフィング挿入部
【図１】
0006559044.tif 000011
【図２】
0006559044.tif 000012
【図３】
0006559044.tif 000013
【図４】
0006559044.tif 000014
【図５】
0006559044.tif 000015
【図６】
0006559044.tif 000016